(57)【要約】【課題】ビデオカメラのような用途に用いる、記録動作に先立ち記録条件の学習を行う情報記録装置において、記録開始時に記録条件の学習を行う場合、ヘッド部が記録媒体上に設けられた学習領域へシーク動作を行う。このシーク動作の音をマイクが拾い、撮影情報にシーク音が記録される。【解決手段】記録開始アドレスから、学習に必要な量だけデータを書き、その領域でパワー補正処理を行うことで、学習領域への移動を無くし、シーク音が記録されないようにする。【選択図】図３
2009211747.tif 000002
【特許請求の範囲】
【請求項１】
記録媒体に対して、信号の記録または再生を行う信号記録／再生部と、
前記記録媒体に記録するデータを入力するデータ入力部と、
信号記録／再生部を用いて、前記記録媒体への記録または再生動作に必要な所定の動作を実行する、記録／再生動作制御部と、
前記記録媒体に対し、記録条件を学習する記録条件学習部と、
前記記録媒体の環境に変化があった場合に、記録条件学習部にて学習を行うかどうかを判定する学習要否判定部と、
を備えた情報記録装置であって、
前記記録条件の学習は、前記記録媒体への記録動作を開始する時に、前記記録媒体の記録開始位置で行うことを特徴とする情報記録装置。
【請求項２】
情報の記録動作が開始された時に、前記記録媒体周辺の温度変化に対し、記録条件の学習要否を判定する第１のステップと、
第１のステップで、学習が必要であると判断された場合に、記録開始位置から所定量のデータ記録を行う第２のステップと、
前記所定量のデータの記録後に記録を中断する第３のステップと、
前記第２のステップで記録したデータを元に最適な記録条件の学習を行う第４のステップと、
前記記録条件の学習後に、前記記録中断位置から記録動作を再開する第５のステップと、
を有することを特徴とする、情報の記録方法。
【請求項３】
前記第１のステップの記録条件の学習要否判定は、記録媒体周辺の温度を検知し、前回学習時の温度に対して、所定値以上の差があった場合に学習必要と判断することを特徴とする、請求項２の情報の記録方法。
【請求項４】
前記第１のステップの記録条件の学習要否判定は、記録媒体周辺の温度を検知し、前回学習時の温度に対して、所定値以上の差があり、さらに記録媒体の品質が所定値以下であった場合に学習必要と判断することを特徴とする、請求項２の情報の記録方法。
【請求項５】
前記第１のステップの記録条件の学習要否判定において、記録媒体周辺の温度を検知し、前回学習時の温度に対して、所定値以上の差があり、さらに記録媒体の品質が所定値以上であった場合、前記記録媒体にあらかじめ備えられた学習領域で記録条件の学習を行うことを特徴とする、請求項２の情報の記録方法。
【発明の詳細な説明】
【技術分野】
【０００１】
本発明は、記録動作に先立ち、記録条件の学習処理動作を行う、情報記録装置に係り、特に、記録条件の学習時に発生するトラバースの動作音の削減を特徴とする。
【背景技術】
【０００２】
近年、光ディスクや磁気ディスクを記録媒体とする情報記録装置が実施されおり、代表的な例として、ビデオカメラ等が存在する。このビデオカメラに使用される情報記録装置は、バッテリーで駆動される事が多く、消費電力の低減を目的とし、記録媒体への記録または再生時には間欠的に動作を行う間欠動作が導入されている。
【０００３】
具体的には、記録媒体への記録レートが映像音声の符号化レートよりも十分に速いことを利用し、映像音声データを一時的に記憶することができるバッファメモリを設け、第１の所定容量までバッファメモリにデータが蓄積されるまでは情報記録装置の記録動作を停止して待機状態とし、バッファメモリのデータ量が第１の所定容量以上になったら稼動状態にして記録動作または再生動作を開始してバッファメモリのデータを記録媒体に記録または再生し、その後バッファメモリのデータ量が第２の所定容量以下になるとまた記録動作を停止して待機状態とすることにより、映像音声データを間欠的に記録媒体へ記録または再生することができる。
【０００４】
記録媒体への記録動作が停止している期間（以下、待機状態と呼ぶ）に、例えば記録媒体を回転させるスピンドルモータ及びスピンドルモータ制御回路、記録媒体に対する記録または再生動作を行う、ヘッド部及びヘッド制御回路等の動作を停止する等の方法を用いる事により、情報記録装置の電力低減を図っている。尚、ここで、前記待機状態に対して、記録媒体への記録または再生動作を実行している期間を稼動状態と呼ぶ。
【０００５】
一方、情報記録装置は、温度のばらつきや記録媒体の状態等による影響を受けやすく、記録再生における適正な制御を実現する事は容易でない。特に、光ディスクを記録媒体として扱う場合、記録を行うレーザの出力パワーは温度変化による影響を受けやすい。
【０００６】
従って、ＤＶＤ−Ｒ等の記録可能な光ディスク装置では、データ記録開始前に、ＯＰＣ（Ｏｐｔｉｍｕｍ Ｐｏｗｅｒ Ｃｏｎｔｒｏｌ）と称されるレーザの出力パワーの初期学習を行い、最適化なレーザの出力パワーで記録動作が行われるようにしている。このＯＰＣでは、記録パワーを複数セクタにおいて複数段、例えば１０セクタにおいて１０段階に変化させて光ディスクにあらかじめ備えられた所定の学習領域にテストデータを記録し、各テストデータを再生してその信号品質を評価する。再生信号の品質としては、通常β値が用いられる。β値とは、再生ＲＦ（Ｒａｄｉｏ Ｆｒｅｑｕｅｎｃｙ）信号のエンベロープのピーク電圧（Ａ）とボトム電圧（Ｂ） から
β ＝ （ Ａ ＋ Ｂ ） ／ （ Ａ − Ｂ ）
という計算式パラメータであり、この値が最適である設定値（基準β値）がメディア毎にあらかじめ設定されている。そして、測定したβ値が基準β値と同一となるレーザの出力パワーを最適記録パワーとして選択し、以後はこの最適記録パワーでデータを記録する。
【０００７】
（例えば、特許文献１ 参照）
光ディスクの場合、ＯＰＣにより最適記録パワーを求めるが、前記間欠動作行う場合、待機状態に情報記録装置内の温度が下がり、実際に稼動状態となり、記録動作を行う際に、ＯＰＣにより求めた記録パワーが最適で無い可能性がある。そういった場合の対策として、ユーザーから記録開始の要求があった時に、ＯＰＣを再実行する事が提案されている。 具体的には、ユーザーから記録開始の要求があったタイミングで、学習要否を判定し、学習が必要な場合は、記録媒体上に設けられた所定の学習領域で記録条件の再学習処理を行う、その後に間欠動作を開始するというものである。つまり、学習処理には５〜１０秒程度の時間を要する為、ユーザーから記録開始の要求があったタイミングで学習処理動作を行う事により、バッファメモリのデータ量が記録媒体に記録を開始する第１の所定容量になるまでの間に学習処理動作を終了させる事ができるとしている。
【０００８】
（特許文献２ 参照）
また、光ディスクの場合、記録中の記録パワーの補正方法として、ＲＯＰＣ（Ｒｕｎｎｉｎｇ Ｏｐｔｉｍｕｍ Ｐｏｗｅｒ Ｃｏｎｔｒｏｌ）が提案されている。ＲＯＰＣでは、書込み位置が補正位置に達したら書込みを中断し、中断位置直前の再生信号からβ値を測定し、目標となる基準β値と測定した基準β値の差分を用いて記録パワーを補正するといったものである。このような制御により、記録中のレーザパワーを最適な状態に保ち、良好な記録品位が得られるようにしている。
【０００９】
（特許文献３ 参照）
【特許文献１】特開２００５ − ３１７２０１ 号公報
【特許文献２】特開２００２ − ７４６９４   号公報
【特許文献３】特開２００７ − １０２８５０ 号公報
【発明の開示】
【発明が解決しようとする課題】
【００１０】
ＤＶＤ等の光ディスク規格では、学習に使用する学習領域は、Ｐｏｗｅｒ Ｃａｌｉｂｒａｔｉｏｎ Ａｒｅａ（ＰＣＡ領域）として、光ディスクの内周部分に設けられている。                                        
【００１１】
従って、前記特許文献２記載の従来技術では、ユーザーの記録開始要求時に温度変化等の要因により、再学習を行う場合、学習の為にヘッド部を学習領域へ移動させるシーク動作を行う必要がある。ビデオカメラのような用途の場合、音声の記録中にシーク動作を行うと、シーク動作に伴うトラバースの移動音をマイクが拾い、撮影している映像に情報記録装置のシーク音が記録されるという課題を有していた。
本発明は、前記従来の課題を解決するもので、学習に使用する学習領域へ移動することなく、稼動状態へ復帰直後に記録位置で記録条件の学習を行うことで、最適な学習動作を行いつつ、シーク音が記録されるという課題を解決することを目的とする。
【課題を解決するための手段】
【００１２】
前記従来の課題を解決するために、本発明の情報記録装置は、記録媒体に対して、信号の記録または再生を行う信号記録／再生部と、前記記録媒体に記録するデータを入力するデータ入力部と、信号記録／再生部を用いて、前記記録媒体への記録または再生動作に必要な所定の動作を実行する、記録／再生動作制御部と、前記記録媒体に対し、記録条件を学習する記録条件学習部と、前記記録媒体の環境に変化があった場合に、記録条件学習部にて学習を行うかどうかを判定する学習要否判定部と、を備えた情報記録装置であって、前記記録条件の学習は、前記記録媒体への記録動作を開始する時に、前記記録媒体の記録位置で行うことを特徴としたものである。
【００１３】
また、本発明の情報の記録方法は、情報の記録動作が開始された時に、前記記録媒体の環境変化に対し、記録条件の学習要否を判定する第１のステップと、第１のステップで、学習が必要であると判断された場合に、記録開始位置から所定量のデータ記録を行う第２のステップと、前記所定量のデータの記録後に記録を中断する第３のステップと、前記第２のステップで記録したデータを元に最適な記録条件の学習を行う第４のステップと、前記記録条件の学習後に、前記記録中断位置から記録動作を再開する第５のステップと、を有することを特徴としたものである。
【００１４】
また、前記第１のステップの記録条件の学習要否判定は、記録媒体周辺の温度を検知し、前回学習時の温度に対して、所定値以上の差があった場合に学習必要と判断することを特徴としたものである。
【００１５】
これらの発明により、記録媒体に設けられた学習領域へのシーク処理が削減出来、それに伴うシーク音を記録することなく、記録動作を行うことが出来る。
【００１６】
また、前記第１のステップの記録条件の学習要否判定は、記録媒体周辺の温度を検知し、前回学習時の温度に対して、所定値以上の差があり、さらに記録媒体の品質が所定値以下であった場合に学習必要と判断することを特徴としたものである。
【００１７】
また、前記第１のステップの記録条件の学習要否判定において、記録媒体周辺の温度を検知し、前回学習時の温度に対して、所定値以上の差があり、さらに記録媒体の品質が所定値以上であった場合、前記記録媒体にあらかじめ備えられた学習領域で記録条件の学習を行うことを特徴としたものである。
【００１８】
つまり、記録媒体の品質が悪く、記録パワーが最適でない状態で記録動作を行うと、記録した部分が読めなくなるような記録媒体に対しては、再生できない領域が出来ても影響を与えない所定の学習領域に移動し、学習を行う。また、記録媒体の品質が良く、記録条件の学習により読めない領域が出来る心配が無いメディアに対しては、シーク処理を削減し、前記記録方法で記録条件学習を行うことで、記録媒体の特性に応じたより最適な学習処理を行うことが可能になる。
【発明の効果】
【００１９】
本発明の情報記録装置と情報の記録方法によれば、記録媒体の環境変化に対し行われる記録条件の学習時のシーク動作を減らすことが出来、ビデオカメラ等での映像の記録時にシーク音が記録されるという現象を無くすことができる。
【発明を実施するための最良の形態】
【００２０】
以下に、本発明の情報記録装置と情報の記録方法の実施の形態を図面とともに詳細に説明する。
【００２１】
（実施の形態１）
図１は、実施の形態１の情報記録装置のブロック図で、図２は、従来例における情報記録装置の処理のフローチャート、図３は、本発明の実施の形態１における情報記録装置の処理のフローチャート、図４は、本発明の従来例と実施の形態１における情報記録装置の動作のシーケンス図である。
【００２２】
まず、通常の記録方法を図１を用いて説明する。情報記録装置に記録命令が来ると、情報記録装置は、記録に先立ち、記録条件の初期学習処理（ＯＰＣ）を行う。記録条件の学習処理では、記録条件学習部１０５が、記録／再生動作制御部１０４に記録媒体１０１上に備えられた学習領域にデフォルトのレーザの出力パワーから、一定量、レーザの出力パワーを変えながら、所定ステップ数連続して、記録を行うように、記録／再生動作制御部１０４に命令を出す。記録／再生動作制御部１０４は、信号記録／再生部１０２にレーザの出力パワーの設定命令を出し、そのパワーでの記録命令を出す。
【００２３】
信号記録／再生部１０２は、記録／再生動作制御部１０４に指示されたパワーで、記録媒体１０１の学習領域に記録処理を行う。記録が終わると、記録／再生動作制御部１０４は、設定パワーを変え、所定ステップ数になるまで、繰り返し信号記録／再生部１０２に記録命令を発行する。
【００２４】
例えば、デフォルトのレーザの出力パワーが１５ｍＷの場合、１４．５ｍＷ、１４．６ｍＷ、１４．７ｍＷ、１４．８ｍＷ、１４．９ｍＷ、１５．０ｍＷ、１５．１ｍＷ、１５．２ｍＷ、１５．３ｍＷ、１５．４ｍＷと所定量（この場合は０．１ｍＷ）パワーを変えながら、メディアに所定ステップ（この場合は１０ステップ）記録媒体１０１に記録を行う。
【００２５】
次に、記録条件学習部１０５が、記録／再生動作制御部１０４に記録した部分のβ値の測定命令を出す。記録／再生動作制御部１０４は、β値の測定命令を受け取ると、信号記録／再生部１０２に信号の再生指示を出し、信号記録／再生部１０２は記録媒体１０２から信号を読み出す。記録／再生動作制御部１０４は、信号記録／再生部１０２が読み出した信号のＲＦ信号のピーク電圧（ Ａ ）とボトム電圧（ Ｂ ）を測定し、
β ＝ （ Ａ ＋ Ｂ ） ／ （ Ａ − Ｂ ）
という計算式を用いて、β値を測定し、記録条件学習部１０５にβ値の測定結果を返送する。
【００２６】
結果を受け取った記録条件学習部１０５は、測定したβ値があらかじめ定められた所定値に最も近いものを選択し、その時のレーザの出力パワーを記録媒体に対する、最適なレーザの出力パワーとして決定する。そして、記録／再生動作制御部１０４にレーザの出力パワーの変更命令を出し、レーザの出力パワーを最適なレーザパワーに変更する。
【００２７】
レーザの出力パワーの決定後、データの記録を開始する。記録／再生動作制御部１０４は、信号記録／再生部１０２にデータの記録命令を発行する。信号記録／再生部１０２は、データ入力部１０３から記録するデータをもらい、所定のフォーマットにデータを符号化した後、記録媒体１０１の記録開始位置にデータを記録する。以降、記録するデータがなくなるまで、データの記録を繰り返す。情報記録装置が、間欠記録を行う場合は、データの記録中、記録条件の学習処理中のみ情報記録装置は、待機状態から稼動状態へ移行し、所定の処理を行う。何も処理を行っていない間は、待機状態へ移行し、信号記録／再生部１０２や記録／再生動作制御部１０４の動作を止め、低消費電力状態になる。
【００２８】
次に従来例を図１、図２、図４（ｂ）を用いて説明する。
【００２９】
ユーザー操作により、記録動作が開始される（Ｓ２０１）と記録するデータは、データ入力部１０３で一旦、バッファメモリに蓄えられる。データがバッファメモリに蓄えられる間に、学習要否判定部１０６は、学習が必要かどうかの判定を行う（Ｓ２０２）。学習要否判定は、例えば、前回の記録条件の学習を行った温度から、現在の温度が所定値以上離れていれば、学習が必要と判断する。
【００３０】
学習が必要と判断された場合、前記、記録条件の学習をもう１度行う。つまり、前記のように、記録媒体１０１の学習領域に移動し、記録媒体１０１の学習領域にレーザの出力パワーを変化させ記録動作を行い、β値を測定し、最適なレーザの出力パワーを求める（Ｓ２０３、Ｓ２０４）。学習後、データ入力部で蓄えられたバッファメモリのデータが図４（ｂ）のバッファ所定量１を超えると、記録／再生動作制御部１０４は、信号記録／再生部１０２に記録開始命令を出す（Ｓ２０５）。信号記録／再生部１０２は、データ入力部１０３で蓄えられたバッファメモリのデータが図４（ｂ）のバッファ所定量２を下回るまで記録媒体１０１へ記録動作を行う。以降、バッファメモリのデータが図４のバッファ所定量１を超えると、記録動作を開始し、バッファメモリのデータが図４（ｂ）のバッファ所定量２を下回ると記録動作を停止するという間欠記録動作を繰り返す。
【００３１】
次に本発明の実施の形態１の説明を図１、図３、図４（ｃ）を用いて説明する。
【００３２】
ユーザー操作により、記録動作が開始される（Ｓ３０１）と記録するデータは、データ入力部１０３で一旦、バッファメモリに蓄えられる。その間に、学習要否判定部１０６で学習が必要かどうかを判定する第１のステップ（Ｓ３０２）を実行する。学習要否判定は、前記、従来例と同じように例えば、現在の温度と記録条件の学習を行った温度との差分を用いて判定する。
【００３３】
学習が必要と判断された場合、バッファメモリのデータが図４（ｃ）のバッファ所定量３を超えた時点で、記録／再生動作制御部１０４は、信号記録／再生部１０２に記録開始命令を出す第２のステップ（Ｓ３０３）を実施する。信号記録／再生部１０２は、データ入力部１０３から記録するデータをもらい、所定のフォーマットにデータを符号化した後、記録媒体１０１の記録開始位置にデータを記録する。
【００３４】
データの記録量が所定量に達したところで、記録／再生動作制御部１０４は、信号記録／再生部１０２に記録停止命令を出す第３のステップ（Ｓ３０４）を実施する。信号記録／再生部１０２は記録停止命令を受け取ると、データ入力部１０３からのデータ受信を中止し、記録動作を停止する。記録動作の停止が完了すると、記録条件学習部１０５が記録／再生動作制御部１０４にＳ３０３で記録した領域のβ値の測定命令を出す。
【００３５】
記録／再生動作制御部１０４は、β値の測定命令を受け取ると、信号記録／再生部１０２に信号の再生指示を出し、信号記録／再生部１０２は記録媒体１０２から信号を読み出す。記録／再生動作制御部１０４は、信号記録／再生部１０２が読み出した信号のＲＦ信号からβ値を測定し、記録条件学習部１０５にβ値の測定結果を返送する。結果を受け取った記録条件学習部１０５は、取得したβ値とあらかじめ定められた所定値との差分から、以下の式を用いてレーザの出力パワーの補正する第４のステップ（Ｓ３０５）を実施する。
【００３６】
Δβ ＝ β − β０
Ｐ  ＝  Ｐ０ ＋ Δβ × α 
β：測定したβ値
β０：あらかじめ定められた基準β値
α：あらかじめ定められた係数
Ｐ０：補正前のレーザの出力パワー
Ｐ：補正後のレーザの出力パワー
上記、補正式は一例であり、レーザの出力パワーの補正に他の数式を用いも良い。
【００３７】
レーザの出力パワーの補正後、記録／再生動作制御部１０４は、信号記録／再生部１０２に記録開始命令を出し、記録を中断した位置から記録動作を再開し、データ入力部１０３で蓄えられたバッファメモリのデータが図４（ｃ）のバッファ所定量２を下回るまで記録媒体１０１へ記録動作を行う第５のステップ（Ｓ３０６）を実施する。以降、バッファメモリのデータが図４（ｃ）のバッファ所定量１を超えると、記録動作を開始し、バッファメモリのデータが図４（ｃ）のバッファ所定量２を下回ると記録動作を停止するという間欠記録動作を繰り返す。
【００３８】
つまり、記録開始時に記録条件の学習に伴う学習領域へのシーク動作を無くし、記録開始位置で記録条件の学習を行う。このように制御する事で、ビデオカメラ等での情報記録装置の利用時に学習領域へのシーク動作の為に発生する音が記録媒体に記録されるという不具合を無くすことが出来る。さらに、学習領域へのシーク動作が無くなる分、記録条件の学習処理に要する時間が短縮できるという効果もある。
【００３９】
（実施の形態２）
次に本発明の実施の形態２の説明を図１、図５を用いて説明する。記録動作が開始される（Ｓ５０１）と記録するデータは、データ入力部１０３で一旦、バッファメモリに蓄えられる。その間に、学習要否判定部１０６で学習が必要かどうかを判定する。まず、現在の温度と記録条件の学習を行った温度との差分が所定値以上であるかどうか判定する第１のステップ（Ｓ５０２）を実行し、所定値以上の温度差がある時に記録媒体１０１の品質が所定値以下であるかどうかを判定する（Ｓ５０３）。
【００４０】
記録媒体の品質は、記録条件の学習によって求められたレーザの出力パワーを元にパワーを上下に所定値変化させ、学習領域に記録を行い、その領域のエラーレートを測定し、エラーレートが所定値以下であるかどうかどうか判定する。
【００４１】
例えば、記録条件の学習によって求められたレーザの出力パワーが１０ｍＷであった場合、９．５ｍＷと１０．５ｍＷで学習領域に記録を行い、その領域のエラーレートが所定値以下（例えば１．０Ｅ−３）であった場合、記録媒体の品質が良いと判定し、その結果をメモリに保存しておく。この記録媒体の品質の測定処理は、１度だけ行えばいいので、例えば記録条件の学習処理の後に行い、ここ（Ｓ５０３）では、測定結果の判定のみを行う。記録媒体の品質が所定値以下の品位の良い媒体の場合は、その場で記録開始位置から記録動作を行う第２のステップ（Ｓ５０４）を実行し、所定量記録媒体１０１に書き込んだ時点で、記録処理を中断する第３のステップ（Ｓ５０５）を実行し、記録したデータのβ値を元に前記記録条件の学習を行う第４のステップ（Ｓ５０６）を実行する。学習後、レーザの出力パワーを変更し、記録中断位置から記録動作を再開する第５のステップ（Ｓ５０７）を実行する。  
【００４２】
記録媒体の品質が所定値以上の品位の悪い記録媒体の場合は、記録媒体上の学習位置に移動し（Ｓ５０８）、もう１度、レーザの出力パワーを変更しながら、記録条件の学習処理を行う（Ｓ５０９）。学習終了後、記録開始位置に移動し、記録動作を行う（Ｓ５１０）。つまり、最適記録パワーから、所定値離れたレーザの出力パワーで記録を行った時に、エラーレートが所定値以下であれば、多少、最適ではないレーザの出力パワーで記録を行っても、記録品位は確保できるものと判定し、その場合は、記録開始位置で記録条件の学習を行う。
【００４３】
逆に、所定値離れたレーザの出力パワーで記録を行った時に、エラーレートが所定値以上である場合、最適なレーザの出力パワーで記録を行わないと、記録品位が確保出来ず、読めなくなる領域が出来る可能性があると判断し、所定の学習領域に移動し、学習を行うことで、記録媒体の品質に対し、より適した記録条件の学習を行う。
【産業上の利用可能性】
【００４４】
本発明にかかる情報記録装置と情報の記録方法では、記録パワーの学習の為に行う学習領域へのシーク動作を無くすことが出来、特にビデオカメラ用途では、録画中にマイクが情報記録装置のシーク音を拾って記録するということが無くなり有用である。
【図面の簡単な説明】
【００４５】
【図１】本発明の実施の形態における情報記録装置のブロック図
【図２】本発明の従来例における情報記録装置の処理のフローチャート
【図３】本発明の実施の形態１における情報記録装置の処理のフローチャート
【図４】本発明の従来例と実施の形態１における情報記録装置の動作のシーケンス図
【図５】本発明の実施の形態２における情報記録装置の処理のフローチャート
【符号の説明】
【００４６】
１０１  記録媒体
１０２  信号記録／再生部
１０３  データ入力部
１０４  記録／再生動作制御部
１０５  記録条件学習部
１０６  学習要否判定部
【図１】
2009211747.tif 000003
【図２】
2009211747.tif 000004
【図３】
2009211747.tif 000005
【図４】
2009211747.tif 000006
【図５】
2009211747.tif 000007